(57)【要約】【課題】警棒としての強度を保ちつつ、誘導灯としての視認性を向上させることを目的とする。【解決手段】後端に設けられた把持部と、先端部と、把持部と先端部との間に設けられた開口部とを有する筐体と、筐体に設けられた電源と、開口部との境界を成す筐体の境界面に設けられ、電源に接続して発光する発光部とを設け、発光部が先端部ではなく、警棒の把持部と先端部との間に設けられた開口部の境界面に設けられているため、発光部に直接衝撃が加わらず、さらに発光部が複数の方向から視認できる。そのため、本発明は、強度を保ちつつ、視認性を向上させることができる。【選択図】図１
2017215109.tif 000002
【特許請求の範囲】
【請求項１】
後端に設けられた把持部と、先端部と、前記把持部と前記先端部との間に設けられた開口部とを有する筐体と、
前記筐体に設けられた電源と、
前記開口部との境界を成す前記筐体の境界面に設けられ、前記電源に接続して発光する発光部と
を備える警棒。
【請求項２】
前記発光部は、前記境界面を一周して設けられた
請求項１記載の警棒。
【請求項３】
前記発光部は、連続して配置される
請求項２記載の警棒。
【請求項４】
前記発光部は、間隔を有して配置される
請求項２記載の警棒。
【請求項５】
前記境界面は、複数の面を有し、
前記発光部は、前記複数の面のうち少なくとも１つに設けられた
請求項１記載の警棒。
【請求項６】
前記境界面は、３つの面を有する
請求項５記載の警棒。
【請求項７】
前記開口部は、前記把持部から前記先端部に向かう方向を前方方向とし、前記筐体の左側に設けられた左側面と前記筐体の右側に設けられた右側面との間を開口する
請求項１記載の警棒。
【請求項８】
前記筐体に設けられ、前記筐体に設けられた警棒の衝撃を検知する衝撃検知センサから衝撃があったことを示す衝撃情報が入力された場合、撮影を開始するカメラと、
前記筐体に設けられ、前記撮影によって得られる映像情報を保存する映像保存部と
を備える請求項１記載の警棒。
【請求項９】
請求項１記載の警棒と、
前記筐体に設けられ、前記筐体に設けられた警棒の衝撃を検知する衝撃検知センサから衝撃があったことを示す衝撃情報が入力された場合、撮影を開始するカメラと、
前記筐体に設けられ、前記撮影によって得られる映像情報を送信する通信インターフェースと、
前記警棒と通信を行う携帯端末装置に設けられ、前記通信インターフェースから前記映像情報を受信する外部通信インターフェースと、
前記携帯端末装置に設けられ、前記映像情報を保存する保存部と
を備える警備通信システム。
【発明の詳細な説明】
【技術分野】
【０００１】
本発明は、警棒及び警備通信システムに関するものである。
【背景技術】
【０００２】
警棒に発光部を備えて、警棒の機能の他に誘導灯の機能を持たせた警棒がある（例えば、特許文献１）。特許文献１の従来の警棒は、強度を高めるため金属で構成された円筒の筐体と、筐体の先端に発光部とを備える。
【先行技術文献】
【特許文献】
【０００３】
【特許文献１】特開２００６−１５３３４３号公報
【発明の概要】
【発明が解決しようとする課題】
【０００４】
しかしながら、上記した従来の警棒では、強度を高めるため筐体が発光部の光を通さない金属でできており、衝撃に弱い発光部を衝撃がかかりにくい筐体の先端にしか備えていないため、誘導灯としては視認性が落ちるという問題があった。
【０００５】
本発明は、上述のような問題を解決するためになされたものであって、警棒としての強度を保ちつつ、誘導灯としての視認性を向上させることを目的とする。
【課題を解決するための手段】
【０００６】
本発明に係る警棒は、後端に設けられた把持部と、先端部と、把持部と先端部との間に設けられた開口部とを有する筐体と、筐体に設けられた電源と、開口部との境界を成す筐体の境界面に設けられ、電源に接続して発光する発光部とを備える。
【０００７】
本発明に係る警備通信システムは、明細書０００６段落記載の警棒と、筐体に設けられ、筐体に設けられた警棒の衝撃を検知する衝撃検知センサから衝撃があったことを示す衝撃情報が入力された場合、撮影を開始するカメラと、筐体に設けられ、撮影によって得られる映像情報を送信する通信インターフェースと、警棒と通信を行う携帯端末装置に設けられ、通信インターフェースから映像情報を受信する外部通信インターフェースと、携帯端末装置に設けられ、映像情報を保存する保存部とを備える。
【発明の効果】
【０００８】
本発明によれば、後端に設けられた把持部と、先端部と、把持部と先端部との間に設けられた開口部とを有する筐体と、筐体に設けられた電源と、開口部との境界を成す筐体の境界面に設けられ、電源に接続して発光する発光部とを備え、発光部が先端部ではなく、警棒の把持部と先端部との間に設けられた開口部の境界面に設けられているため、発光部に直接衝撃が加わらず、さらに発光部が複数の方向から視認できる。そのため、本発明は、強度を保ちつつ、視認性を向上させることができる。
【図面の簡単な説明】
【０００９】
【図１】本発明の実施の形態１に係る警棒の斜視図である。
【図２】本発明の実施の形態１に係るアームモニターの正面図である。
【図３】本発明の実施の形態１に係る警棒の発光部を備えた回路図である。
【図４】本発明の実施の形態１に係る警棒のカメラを備えた回路図である。
【図５】本発明の実施の形態１に係る警棒のマイクを備えた回路図である。
【図６】本発明の実施の形態１に係る警棒のスピーカを備えた回路図である。
【図７】本発明の実施の形態１に係る警棒のライトを備えた回路図である。
【図８】本発明の実施の形態１に係る警棒のレーザーポインタを備えた回路図である。
【図９】本発明の実施の形態１に係る警棒のカラーボール射出部を備えた回路図である。
【図１０】本発明の実施の形態１に係るアームモニターのハードウェア構成図である。
【図１１】本発明の実施の形態１に係る警棒の使用方法を示した図である。
【発明を実施するための形態】
【００１０】
実施の形態１．
図１は、本発明の実施の形態１に係る警棒１の斜視図である。図２は、本発明の実施の形態１に係る警棒１と通信するアームモニター２０の正面図である。なお、警棒１及びアームモニター２０を備えたものが警備通信システムである。
【００１１】
図１において、警棒１は、開口部３と把持部４と把持部４とは反対のもう一端である先端部１８とを設けたアルミニウム合金でできた筐体２と、開口部３内に設けられた発光部５と、筐体２に設けられ発光部５の発光を制御するトリガースイッチ９と、カメラ１５と、筐体２に設けられカメラ１５の起動を制御するカメラスイッチ６と、マイク８と、スピーカ１１と、筐体２内に設けられた衝撃スイッチ１２と、筐体２内に設けられた通信インターフェース１０と、ライト１４と、筐体２に設けられライト１４の起動を制御するライトスイッチ７と、レーザーポインタ１６と、カラーボール射出部１７と、レーザーポインタ１６及びカラーボール射出部１７の起動を制御するプッシュスイッチ１３と、筐体２内に設けられた電源３３とを備えている。
【００１２】
開口部３は、図１のように、把持部４と先端部１８との間に設けられ、筐体２を貫通する頂点が丸みを帯びた三角形の穴である。開口部３との境界を成す筐体２の境界面３５は、３つの面を有する。開口部３は、把持部４から先端部１８に向かう方向を前方方向Ａとすると、前方方向Ａに対して筐体２の左側に設けられた左側面３６と筐体２の右側に設けられた右側面３７との間を開口する。開口部３は、左側面３６と右側面３７との間を開口することで、他の方向を開口させるよりも視認性がよくなる。開口部３は、筐体２の強度を損なわない程度にできるだけ広く設ける。広く設けることにより、発光部５を設ける場所である境界面３５が広くなり、より広く発光部５を光らせることで視認性がよくなる。具体的には、前方方向Ａと垂直になる方向Ｂに対する開口部３の断面積は、前方方向Ａに対する先端部１８の断面積よりも大きい。
【００１３】
把持部４は、図１のような筐体２の後端に設けられ、警棒１を使用する使用者が警棒１を保持する部分である。把持部４は、握りやすいような棒状の形状である。把持部４は、中が空洞になっており、電源３３が収納される。電源３３は、例えば電池である。
【００１４】
発光部５は、ダイオードであり、電源３３に接続され、発光する。例えば、発光部５は、図１のように、連続して配置された直線状であって、境界面３５を一周して、境界面３５に設けられる。つまり、発光部５は、境界面３５にダイオードを一列に一周させて設けられる。なお、発光部５は一列でなくても二列以上でもよい。発光部５は、ダイオードを覆うカバーを有する。カバーは、発光を誘導すべき人に対して視認させるため、筐体２の素材とは異なるポリカーボネート樹脂、プラスチック樹脂等の光が透過可能な素材、あるいは筐体２と同様の金属の素材であるがメッシュ形状にすることで光を透過させるようにする。発光部５は、図３のように、トリガースイッチ９により、発光の制御が行われる。なお、発光部５は、ダイオードであるとしたが、白熱電球または蛍光灯等発光するものであればよい。また、カバーはなくてもよい。
【００１５】
図３は、本発明の実施の形態１に係る警棒１の発光部５を備えた回路図である。以降、回路の各装置は、図中黒線で表される情報のやり取りを行う信号経路であるバスで電気的に接続されているものとする。回路は、筐体２に設けられ、スイッチ２５ａ、発光部５及び電源２４ａを備え、時計回りでスイッチ２５ａ、発光部５及び電源２４ａの順に接続する。スイッチ２５ａはトリガースイッチ９、電源２４ａは電源３３に対応する。スイッチ２５ａを接続してオンにすると、発光部５に電流が流れ、発光部５が発光する。スイッチ２５ａの接続を切ってオフにすると、発光部５に電流が流れなくなり、発光部５が発光しなくなる。
【００１６】
図１に戻り、カメラ１５は、例えば、ＣＣＤ（Ｃｈａｒｇｅ  Ｃｏｕｐｌｅｄ  Ｄｅｖｉｃｅ）カメラである。カメラ１５は、筐体２の先端部１８に設けられる。カメラ１５は、図４のように、衝撃スイッチ１２あるいはカメラスイッチ６により、撮影の制御が行われる。なお、カメラ１５は、ＣＣＤカメラとしたが、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサまたはＭＯＳ（Ｍｅｔａｌ  Ｏｘｉｄｅ  Ｓｅｍｉｃｏｎｄｕｃｔｏｒ）イメージセンサ等撮影できるカメラであればよい。また、カメラ１５は、カメラ１５内部に撮影によって得られた映像情報を保存する映像保存部を備える。映像保存部は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）、又は、カメラ１５内のレジスタ又はキャッシュメモリである。なお、映像情報は、動画であるが、静止画でもかまわない。
【００１７】
図４は、本発明の実施の形態１に係る警棒１のカメラ１５を備えた回路図である。回路は、筐体２に設けられ、警棒１の衝撃を検知する衝撃検知センサ２３と、衝撃検知センサ２３から衝撃があったことを示す衝撃情報を受信して、衝撃情報が入力されるとスイッチが入るスイッチ３４ａと、スイッチ２５ｂと、カメラ１５と、通信インターフェース１０と、電源２４ｂとを備える。
【００１８】
回路は、スイッチ３４ａに衝撃検知センサ２３が接続され、カメラ１５に通信インターフェース１０が接続されている。回路は、時計回りにスイッチ３４ａとスイッチ２５ｂとが並列に接続され、その後カメラ１５、電源２４ｂの順番に接続する。
【００１９】
衝撃検知センサ２３は、例えば加速度センサであり、衝撃を検知するとスイッチ３４ａに衝撃情報を送信する。衝撃検知センサ２３及びスイッチ３４ａを備えたものが、衝撃スイッチ１２に対応する。なお、衝撃検知センサ２３は、加速度センサとしたが、光ファイバセンサまたはリードスイッチ等衝撃を検知できるものであればよい。衝撃スイッチ１２は、図１のように、筐体２の先端部１８またはその周辺の内部に設けられる。
【００２０】
スイッチ２５ｂは、カメラスイッチ６に対応し、例えばプッシュスイッチである。
【００２１】
電源２４ｂは、電源３３に対応する。
【００２２】
カメラ１５において、スイッチ３４ａまたはスイッチ２５ｂを接続してオンにすると、カメラ１５に電流が流れ、撮影が開始される。また、スイッチ３４ａまたはスイッチ２５ｂの接続を切ってオフにすると、カメラ１５に電流が流れなくなり、撮影が終了する。カメラ１５は、アームモニター２０に入力されたズーム、角度調整、輝度調整等の制御の情報を通信インターフェース１０を介して受信すると、受信した制御の情報の通りズーム、角度調整、輝度調整等の動作をする。カメラ１５は、映像情報を映像保存部に保存し、映像情報を通信インターフェース１０に送信する。アームモニター２０については、後述する。
【００２３】
通信インターフェース１０は、警棒１とアームモニター２０との間で情報の通信を行う。通信インターフェース１０は、カメラ１５から映像情報を受信すると、映像情報を電圧信号に変換してアームモニター２０に送信する。なお、通信インターフェース１０は、送信する情報を電圧信号に変換し、受信した電圧信号を変換して電圧信号に変換する前の元の情報に戻す。
【００２４】
図１に戻り、マイク８は、電源３３に接続され、音が入力される。マイク８は、把持部４に設けられる。マイク８は、図５のように、衝撃スイッチ１２あるいはアームモニター２０により、入力の制御が行われる。また、マイク８は、マイク８内部に音情報を保存する音保存部を備える。音保存部は、例えば、ＲＡＭ、ＲＯＭ、フラッシュメモリ、ＨＤＤ、又は、マイク８内のレジスタ又はキャッシュメモリである。
【００２５】
図５は、本発明の実施の形態１に係る警棒１のマイク８を備えた回路図である。回路は、筐体２に設けられ、衝撃検知センサ２３と、衝撃検知センサ２３から衝撃があったことを示す衝撃情報を受信するとスイッチが入るスイッチ３４ｂと、通信インターフェース１０を介してアームモニター２０により制御されるスイッチ２５ｃと、マイク８と、通信インターフェース１０と、スピーカ１１と、電源２４ｃとを備える。
【００２６】
回路は、スイッチ３４ｂに衝撃検知センサ２３が接続され、スイッチ２５ｃに通信インターフェース１０が接続され、マイク８に通信インターフェース１０及びスピーカ１１が接続されている。回路は、時計回りにスイッチ３４ｂとスイッチ２５ｃとが並列に接続され、その後マイク８、電源２４ｃの順番に接続する。
【００２７】
衝撃検知センサ２３は、衝撃を検知するとスイッチ３４ｂに衝撃情報を送信する。衝撃検知センサ２３及びスイッチ３４ｂを備えたものが、衝撃スイッチ１２に対応する。
【００２８】
電源２４ｃは、電源３３に対応する。
【００２９】
スイッチ２５ｃは、アームモニター２０に入力されたマイク８のオン、オフの制御の情報を通信インターフェース１０を介して受信すると、受信した制御の情報の通りマイク８のオン、オフの動作をする。
【００３０】
マイク８は、スイッチ３４ｂまたはスイッチ２５ｃを接続してオンにすると、音の入力が可能になる。マイク８は、スイッチ３４ｂまたはスイッチ２５ｃの接続を切ってオフにすると、マイク８に電流が流れなくなり、音の入力が終了する。マイク８は、入力された音から得られた音情報を通信インターフェース１０に送信あるいはスピーカ１１に送信する。なお、マイク８は、音情報を通信インターフェース１０に送信あるいはスピーカ１１に送信するとしたが、マイク８は、音情報を通信インターフェース１０に送信及びスピーカ１１両方に送信してもよい。
【００３１】
通信インターフェース１０は、例えば、マイク８から音情報を受信すると、音情報を電圧信号に変換してアームモニター２０に送信する。
【００３２】
スピーカ１１は、電源３３に接続され、音情報を出力する。スピーカ１１は、図１のように、先端部１８またはその付近に設けられ、音情報を出力する。なお、スピーカ１１は、音情報を出力できればいいため、筐体２の側面、開口部３等にスピーカ１１を設けてもよい。スピーカ１１は、図６のように、アームモニター２０に入力されたオン、オフ、音量調節の制御の情報を通信インターフェース１０を介して受信すると、オン、オフ、音量調節をする。
【００３３】
図６は、本発明の実施の形態１に係る警棒１のスピーカ１１を備えた回路図である。回路は、筐体２に設けられ、通信インターフェース１０を介してアームモニター２０により制御されるスイッチ２５ｄと、通信インターフェース１０と、スピーカ１１と、マイク８と、電源２４ｄとを備える。回路は、スピーカ１１にマイク８及び通信インターフェース１０が接続され、スイッチ２５ｄに通信インターフェース１０が接続され、時計回りにスイッチ２５ｄ、スピーカ１１、電源２４ｄの順番に接続する。
【００３４】
電源２４ｄは、電源３３に対応する。
【００３５】
スイッチ２５ｄは、アームモニター２０に入力されたスピーカ１１のオン、オフの制御の情報を通信インターフェース１０を介して受信すると、受信した制御の情報の通りにスピーカ１１をオン、オフの動作をする。スピーカ１１は、スイッチ２５ｄを接続してオンにすると、スピーカ１１に電流が流れ、マイク８から送信された音情報の出力が行われる。スピーカ１１は、スイッチ２５ｄの接続を切ってオフにすると、スピーカ１１に電流が流れなくなり、マイク８から送信された音情報の出力が終了する。
【００３６】
スピーカ１１は、アームモニター２０に入力されたスピーカ１１の音量調整の制御の情報を通信インターフェース１０を介して受信すると、受信した制御の情報の通りに音量を調節する。
【００３７】
図１に戻り、ライト１４は、例えばダイオードであり、電源３３に接続され、発光する。ライト１４は、先端部１８に設けられる。ライト１４は、図７のように、ライトスイッチ７により、発光の制御が行われる。なお、ライト１４は、ダイオードであるとしたが、白熱電球または蛍光灯等発光するものであればよい。
【００３８】
図７は、本発明の実施の形態１に係る警棒１のライト１４を備えた回路図である。回路は、筐体２に設けられ、スイッチ２５ｅ、ライト１４及び電源２４ｅを備え、時計回りでスイッチ２５ｅ、ライト１４及び電源２４ｅの順に接続する。スイッチ２５ｅはライトスイッチ７、電源２４ｅは電源３３に対応する。スイッチ２５ｅを接続してオンにすると、ライト１４に電流が流れ、ライト１４が発光する。スイッチ２５ｅの接続を切ってオフにすると、ライト１４に電流が流れなくなり、ライト１４が発光しなくなる。なお、スイッチ２５ｅは、例えばプッシュスイッチである。
【００３９】
図１に戻り、レーザーポインタ１６は、電源３３に接続され、発光する。レーザーポインタ１６は、先端部１８に設けられる。レーザーポインタ１６は、図８のように、プッシュスイッチ１３により、発光の制御が行われる。
【００４０】
図８は、本発明の実施の形態１に係る警棒１のレーザーポインタ１６を備えた回路図である。回路は、筐体２に設けられ、スイッチ２５ｆ、レーザーポインタ１６及び電源２４ｆを備え、時計回りでスイッチ２５ｆ、レーザーポインタ１６及び電源２４ｆの順に接続する。スイッチ２５ｆはプッシュスイッチ１３、電源２４ｆは電源３３に対応する。スイッチ２５ｆを接続してオンにすると、レーザーポインタ１６に電流が流れ、レーザーポインタ１６が発光する。スイッチ２５ｆの接続を切ってオフにすると、レーザーポインタ１６に電流が流れなくなり、レーザーポインタ１６が発光しなくなる。
【００４１】
図１に戻り、カラーボール射出部１７は、電源３３に接続され、カラーボールを射出する。カラーボールとは、付着すると除去が難しい染料が入った防犯用のボールである。カラーボール射出部１７は、先端部１８に設けられる。カラーボール射出部１７は、図９のように、プッシュスイッチ１３により、カラーボールの射出の制御が行われる。
【００４２】
図９は、本発明の実施の形態１に係る警棒１のカラーボール射出部１７を備えた回路図である。回路は、筐体２に設けられ、スイッチ２５ｇ、カラーボール射出部１７及び電源２４ｇを備え、時計回りでスイッチ２５ｇ、カラーボール射出部１７及び電源２４ｇの順に接続する。スイッチ２５ｇはプッシュスイッチ１３、電源２４ｇは電源３３に対応する。スイッチ２５ｇを接続してオンにすると、カラーボール射出部１７に電流が流れ、カラーボール射出部１７からカラーボールが射出される。なお、プッシュスイッチ１３はレーザーポインタ１６のスイッチであり、カラーボール射出部１７のスイッチでもあるが１回押すとレーザーポインタ１６とカラーボール射出部１７を同時にオンしてもよいし、１回押すとレーザーポインタ１６がオンに、２回押すとレーザーポインタ１６がオフに、３回連続で押すとカラーボール射出部１７がオンになるように制御してもよい。
【００４３】
次に、図２について説明する。図２において、アームモニター２０は、アームバンド２１と、警棒１と通信を行う携帯端末装置２２とを備えている。
【００４４】
アームバンド２１は、例えば腕時計のように、警棒１の使用者の腕に携帯端末装置２２を固定する。なお、アームバンド２１は、警棒１の使用者の腕に携帯端末装置２２を固定するとしたが、服または鞄等警棒１の使用者が携帯できるよう固定できればよい。
【００４５】
携帯端末装置２２は、タッチパネルディスプレイと、スピーカと、タッチパネルディスプレイ及びスピーカの制御を行う制御部とから構成される。携帯端末装置２２は、タッチパネルディスプレイ、スピーカ、制御部により、カメラ１５の撮影によって得られた映像情報の再生及び保存の制御、マイク８で入力された音によって得られた音情報の再生及び保存の制御、カメラ１５のズーム、角度調整、輝度調整の制御、マイク８のスイッチ２５ｃのオン及びオフの制御、スピーカ１１のスイッチ２５ｄのオン、オフ、音量調整の制御を行う。
【００４６】
図１０は、本発明の実施の形態１に係るアームモニター２０のハードウェア構成図である。図１０を用いて、本発明の実施の形態１に係るアームモニター２０の構成について説明する。なお、アームモニター２０のハードウェアは、携帯端末装置２２のハードウェアと同等である。アームモニター２０のハードウェアは、制御部であるコンピュータとディスプレイとスピーカで構成される。具体的には、アームモニター２０は、バス３２と、主記憶装置２８と、プログラム、映像情報及び音情報を保存する外部記憶装置２６と、主記憶装置２８にロードした外部記憶装置２６のプログラムを読み込み実行するプロセッサ２７と、警棒１の操作が入力される入力インターフェース２９と、警棒１と通信を行う外部通信インターフェース３０と、映像情報及び音情報を出力する出力インターフェース３１と、といったハードウェアを備える。
【００４７】
バス３２は、主記憶装置２８、外部記憶装置２６、プロセッサ２７、入力インターフェース２９、外部通信インターフェース３０及び出力インターフェース３１を電気的に接続し、情報のやり取りを行う信号経路である。
【００４８】
主記憶装置２８は、外部記憶装置２６に保存したプログラムをロードするワークエリアとして機能する。主記憶装置２８は、例えば、ＲＡＭである。主記憶装置２８は、制御部であるコンピュータに対応する。
【００４９】
外部記憶装置２６は、カメラ１５での撮影によって得られた映像情報の再生及び保存の制御、マイク８で入力された音によって得られた音情報の再生及び保存の制御、カメラ１５のズーム、角度調整、輝度調整の制御、マイク８のスイッチ２５ｃのオン及びオフの制御、スピーカ１１のスイッチ２５ｄのオン、オフ、音量調整の制御のプログラムを保存する。外部記憶装置２６は、例えば、ＲＯＭ、フラッシュメモリ、又は、ＨＤＤである。外部記憶装置２６は、ＯＳ（Ｏｐｅｒａｔｉｎｇ  Ｓｙｓｔｅｍ）も保存する。映像情報及び音情報の保存は外部記憶装置２６によって実現する。外部記憶装置２６は、制御部であるコンピュータに対応し、請求項の保存部に対応する。
【００５０】
プロセッサ２７は、バス３２を介して他の装置と接続し、これら他の装置を制御する。プロセッサ２７は、主記憶装置２８にロードした外部記憶装置２６のプログラムを読み込み、実行する。プロセッサ２７は、外部記憶装置２６に保存したＯＳの少なくとも一部を主記憶装置２８にロードし、ＯＳを実行しながら、プログラムを実行する。プロセッサ２７は、プロセッシングを行うＩＣ（Ｉｎｔｅｇｒａｔｅｄ  Ｃｉｒｃｕｉｔ）である。プロセッサ２７は、例えば、ＣＰＵ（Ｃｅｎｔｒａｌ  Ｐｒｏｃｅｓｓｉｎｇ  Ｕｎｉｔ）である。映像情報の再生の制御、音情報の再生の制御、カメラ１５のズーム、角度調整、輝度調整の制御、マイク８のスイッチ２５ｃのオン及びオフの制御、スピーカ１１のスイッチ２５ｄのオン、オフ、音量調整の制御は、プロセッサ２７が主記憶装置２８にロードした外部記憶装置２６のプログラムを読み込み、実行することにより実現する。プロセッサ２７は、制御部であるコンピュータに対応する。
【００５１】
入力インターフェース２９は、警棒１の操作が入力されるインターフェースである。入力インターフェース２９は、静電容量式タッチパネルディスプレイである。
【００５２】
外部通信インターフェース３０は、警棒１の通信インターフェース１０から送信される映像情報及び音情報を受信し、警棒１にカメラ１５のズーム、角度調整、輝度調整の制御、マイク８のスイッチ２５ｃのオン、オフの制御、スピーカ１１のスイッチ２５ｄのオン、オフ、音量調整の制御の情報を送信する。なお、外部通信インターフェース３０は、送信する情報を電圧信号に変換し、受信した電圧信号を変換して電圧信号に変換する前の元の情報に戻す。外部通信インターフェース３０は、制御部であるコンピュータに対応する。
【００５３】
出力インターフェース３１は、警棒１から送信された映像情報及び音情報を出力する例えば静電容量式タッチパネルディスプレイ及びスピーカである。
【００５４】
なお、映像情報及び音情報は、主記憶装置２８、外部記憶装置２６、又は、プロセッサ２７内のレジスタ又はキャッシュメモリに保存されてもよい。
【００５５】
また、プログラムを、磁気ディスク、フレキシブルディスク、光ディスク、コンパクトディスク、ＤＶＤ（Ｄｉｇｉｔａｌ  Ｖｅｒｓａｔｉｌｅ  Ｄｉｓｃ）といった可搬記録媒体に保存してもよい。
【００５６】
次に、警棒１の動作を以下に説明する。
【００５７】
図１１は、本発明の実施の形態１に係る警棒１の使用方法を示した図である。警棒１を誘導灯として使用する場合、図１１のように、警棒１の使用者は、手１９で把持部４を握り、トリガースイッチ９を引く。トリガースイッチ９が引かれたことにより、発光部５はオンになり、発光部５は発光する。トリガースイッチ９は、一度オンになるとオンの状態を保つ。誘導灯が不要になった場合は、警棒１の使用者は、再度トリガースイッチ９を引いて発光部５をオフにする。なお、発光部５は、トリガースイッチ９を引いている状態のときはオンに、トリガースイッチ９を引いていない状態のときはオフとするようにしてもよい。また、発光部５は、誘導灯として説明したが、警告灯として用いてもよい。
【００５８】
また、人混みが激しいときに足元の状況や俯瞰的に周囲を確認したい場合、警棒１の使用者は、警棒１のカメラ１５を確認したい方向に向けてカメラスイッチ６を押下する。カメラスイッチ６が押下されると、カメラ１５は撮影を開始する。もう一度カメラスイッチ６が押下されると、カメラ１５は撮影を終了する。なお、カメラスイッチ６が押下されている状態のときはオンに、カメラスイッチ６を押下していない状態はオフとするようにしてもよい。撮影によって得られた映像情報は、映像保存部に保存され、通信インターフェース１０に送信される。通信インターフェース１０は、映像情報をアームモニター２０に送信する。アームモニター２０は、通信インターフェース１０から映像情報を受信し、警棒１の使用者によりタッチパネルディスプレイに再生の操作がされた場合、映像情報がタッチパネルディスプレイに再生される。カメラ１５の撮影によって得られた映像情報をタッチパネルディスプレイに再生することにより、警棒１の使用者はリアルタイムの周囲の状況の映像情報を確認できる。さらに、アームモニター２０は、通信インターフェース１０から映像情報を受信し、警棒１の使用者により入力されたタッチパネルディスプレイの操作で周囲の状況の映像情報を保存部に保存してもよい。
【００５９】
なお、カメラ１５に対してズーム、角度調整、輝度調整の制御を行いたい場合は、警棒１の使用者は、アームモニター２０の入力インターフェース２９に対応するタッチパネルディスプレイでズーム、角度調整、輝度調整を制御する操作を入力する。アームモニター２０の外部通信インターフェース３０は、ズーム、角度調整、輝度調整の制御の情報を警棒１の通信インターフェース１０に送信する。警棒１は、通信インターフェース１０にてズーム、角度調整、輝度調整の制御の情報を受信し、カメラ１５に対してズーム、角度調整、輝度調整が行われる。
【００６０】
誘導の案内を放送したい場合、警棒１の使用者は、アームモニター２０の入力インターフェース２９に対応するタッチパネルディスプレイでマイク８及びスピーカ１１をオンにする制御の操作を入力する。アームモニター２０の外部通信インターフェース３０は、マイク８及びスピーカ１１をオンにする制御の情報を警棒１の通信インターフェース１０に送信する。警棒１は、通信インターフェース１０にてマイク８及びスピーカ１１をオンにする制御の情報を受信し、マイク８及びスピーカ１１はオンになる。警棒１の使用者がマイク８に向かって誘導の案内を発話すると、マイク８は誘導の案内である音情報を音保存部に保存し、スピーカ１１に送信する。スピーカ１１は音情報を出力する。マイク８またはスピーカ１１の音量調節をしたい場合またはオフにしたい場合も、制御の情報を音量調節またはオフの制御の情報にして、同様の操作を行う。
【００６１】
暗い場所を照らす場合及びライト１４を使用したい場合、警棒１の使用者は、ライトスイッチ７を押下する。ライトスイッチ７が押下されたことにより、ライト１４がオンになる。警棒１の使用者により再度ライトスイッチ７が押下されると、ライト１４はオフする。なお、ライト１４は、ライトスイッチ７を押下している状態のときはオンに、ライトスイッチ７を押下していない状態のときはオフとするようにしてもよい。
【００６２】
また、例えば暴漢と対峙し、警棒１を警棒として使用する場合、図１１のように、警棒１の使用者は、把持部４を握る。暴漢が立ち向かってきた場合は、警棒１の使用者は警棒１で応戦し、警棒１に衝撃が加わる。このとき、警棒１に衝撃が加わっても、発光部５は境界面３５に設けられているため、筐体２よりも強度が弱い発光部５には直接衝撃は加わりにくい。警棒１は、衝撃が加わると、衝撃検知センサ２３が衝撃を検知し、スイッチ３４ａ及びスイッチ３４ｂに衝撃情報を送信する。スイッチ３４ａ及びスイッチ３４ｂは衝撃情報を受信すると、スイッチをオンにし、カメラ１５及びマイク８が起動する。カメラ１５は、その場の状況を撮影し、撮影によって映像情報を得る。カメラ１５は、カメラ１５内部の映像保存部に映像情報を保存する。マイク８は、その場の状況の音が入力され、マイク８で入力された音から音情報を得る。マイク８は、マイク８の内部の音保存部に音情報を保存する。カメラ１５及びマイク８は、映像保存部及び音保存部から映像情報及び音情報をそれぞれ通信インターフェース１０に送信し、通信インターフェース１０は映像情報及び音情報をアームモニター２０に送信する。アームモニター２０は、外部通信インターフェース３０にて映像情報及び音情報を受信し、外部記憶装置２６にて映像情報及び音情報を保存する。また、入力インターフェース２９であるタッチパネルディスプレイで再生操作が入力された場合、出力インターフェース３１でもあるタッチパネルディスプレイに映像情報及び音情報を再生する。なお、後に映像情報及び音情報を再生するために映像情報及び音情報を保存しておく場所は、映像保存部及び音保存部でもよいし、アームモニター２０の保存部でもよいし、どちらともに保存してもよい。
【００６３】
暴漢が逃げそうになり、レーザーポインタ１６により暴漢にレーザーを当て、追いかける目印にしたい場合、警棒１の使用者は、プッシュスイッチ１３を１回押下する。プッシュスイッチ１３が押下されたことにより、レーザーポインタ１６がオンになる。レーザーポインタ１６をオフにしたい場合、警棒１の使用者は、プッシュスイッチ１３を２回押下する。また、カラーボールを暴漢に射出したい場合、警棒１の使用者は、プッシュスイッチ１３を３回押下する。プッシュスイッチ１３が３回押下されたことにより、カラーボール射出部１７がオンになり、カラーボールが射出される。
【００６４】
以上述べたように、本実施の形態１の警棒１及び警備通信システムにおいては、後端に設けられた把持部４と、先端部１８と、把持部４と先端部１８との間に設けられた開口部３とを有する筐体２と、筐体２に設けられた電源３３と、開口部３との境界を成す筐体２の境界面３５に設けられ、電源３３に接続して発光する発光部５とを備え、発光部５が先端部１８ではなく、警棒１の把持部４と先端部１８との間に設けられた開口部３の境界面３５に設けられているため、発光部５に直接衝撃が加わらず、さらに発光部５が複数の方向から視認できる。また、開口部３は、左側面３６と右側面３７との間を開口することで、他の方向よりも視認性がよくなる。そのため、警棒１は、強度を保ちつつ、視認性を向上させることができる。また、警棒１においては、筐体２に使用する材料の透過性の有無を考慮する必要もない。
【００６５】
本実施の形態１の警棒１及び警備通信システムにおいては、把持部４に設けられたカメラスイッチ６にて起動する、先端部１８に設けられたカメラ１５での撮影によって得られた映像情報を、アームモニター２０に送信し、リアルタイムでタッチパネルディスプレイに再生することで、例えば人混みの中で、警棒１を上に掲げることで、俯瞰位置からの周囲の状況の確認が可能となる。人混みといった状況の中で、警備または監視を目的とした周囲の状況を確認する場合、より高い位置からの俯瞰的な視点が有効である。しかしながら、例えば、高位置に固定された監視カメラ映像をモニタリングする場合は、スムーズな移動や角度及び方向調整が難しく、また、ウェアラブルカメラもしくはハンディカメラを使用する場合でも、手を伸ばす以上の画角の確保は困難である。警棒１は、俯瞰的な視点の映像情報を得つつ、スムーズな移動や角度及び方向調整が可能であり、手を伸ばす以上の画角の確保が可能である。また、足元の状況を確認する場合も、無理にしゃがむことなく、警棒１を下に向け、アームモニター２０で確認することで、負荷のかからない体勢で確認することができる。
【００６６】
本実施の形態１の警棒１及び警備通信システムにおいては、筐体２に設けられた衝撃スイッチ１２により、警棒１に加わる衝撃を検知し、自動的にカメラ１５、マイク８が起動し、映像情報を得るための撮影の開始及び音情報を得るための音の入力の受付を開始する。このため、緊急時において、警棒１の使用者が意識しなくても、警棒１を使用すると同時に記録が開始され、使用時の客観的な状況が証拠として保存される。保存した映像情報は、後でアームモニター２０あるいは別のモニターで再生することができ、現場検証に用いられる。
【００６７】
本実施の形態１の警棒１及び警備通信システムにおいては、プッシュスイッチ及びトリガースイッチ等の物理スイッチ以外の操作を、アームモニター２０のタッチパネルディスプレイにて行う。このため、使用頻度の高い機能である、ライト１４のオン及びオフをプッシュスイッチであるライトスイッチ７、カメラ１５のオン及びオフをプッシュスイッチであるカメラスイッチ６、発光部５のオン及びオフをトリガースイッチ９に絞って行うことで、片手でのスムーズな操作が可能となる。また、図１のような、左右の手どちらでも押せる位置に物理スイッチが設けられているため、右ききまたは左ききに関係なく、片手で使用可能である。なお、物理スイッチにする装置は、特に限定しない。また、アームモニター２０のタッチパネルディスプレイにて行うスイッチにする装置は、特に限定しない。また、スイッチを衝撃スイッチにする装置は、特に限定しない。
【００６８】
従来は、警備業務または人員誘導等の業務において、警備員や警察官、誘導スタッフが使用する物品として、警棒、誘導灯、ライト、カメラ、スピーカ、マイク、レーザーポインタ、カラーボール射出装置等がそれぞれ独立した別々の製品であったため、警棒を使用する使用者は各々の製品を同時に装備する、または状況に応じて持ち替える必要があった。本実施の形態１の警棒１及び警備通信システムにおいては、その機能を一つの製品に集約したので、使用者の装備を軽減するとともに、状況に応じた機能の切り替えをスムーズできる。
【００６９】
なお、本実施の形態１の警棒１及び警備通信システムでは、開口部３の形状は、筐体２を貫通する頂点が丸みを帯びた三角形の穴としたが、発光部５に直接衝撃が加わらなければ、四角形、五角形、円、楕円等でもよい。開口部３の形状が四角形、五角形等の多角形の場合は、開口部３との境界を成す筐体２の境界面３５は、４枚、５枚等複数の面を有する。なお、図１のように、開口部３の形状を三角形にすると、警棒１を意匠性がよく、コンパクトに形成できる。また、開口部３の頂点が鋭利で丸みを帯びていなくてもよい。開口部３は、２方向の貫通だけではなく、３方向以上に貫通していてもよい。なお、本実施の形態１の警棒１及び警備通信システムでは、境界面３５に１つの発光部５を設けるだけで貫通している方向で発光部５を視認できる。したがって、警棒１は、必要な発光部５の個数を削減できるため、コストが安くなるという効果がある。さらに、開口部３を光が透過する例えばプラスチック樹脂、ポリカーボネート樹脂で固めてもよい。このように構成しても、発光部５に直接衝撃が加わらないため、同様の効果が得られる。境界面３５で発光部５が設けられていない箇所については、反射板を設けてもよい。境界面３５に反射板を設けることで、発光部５で放射された光が拡散されるため、より視認性がよくなる。なお、警棒１の形状は、細長い形状であると、暴漢と対峙した場合、応戦しやすく、また携帯性がいい。
【００７０】
本実施の形態１の警棒１及び警備通信システムでは、発光部５は、境界面３５を一周して境界面３５に設けられるとしたが、一周しなくてもよい。例えば、境界面３５が複数の面を有する場合、発光部５は複数の面のうち少なくとも１つに設けられていてもよい。また、開口部３が三角形、四角形、五角形、円、楕円等の穴である場合、境界面の１つの一部分に発光体５を設けてもよい。ただし、発光部５は、境界面３５を一周して境界面３５に設けた方が、発光部５が境界面の１つの一部分にある場合よりも発光量が多くなるため視認性はよくなる。発光部５が境界面の１つの一部分にある場合でも、少なくとも２方向から視認できるため、強度を保ちつつ、視認性を向上させることができる。発光部５は、連続して配置される直線状だけでなく間隔を有して配置される点線状でもよい。発光部５は、連続して配置されることで視認性がよくなる。一方、発光部５は、間隔を有して配置されることで、視認性は保ちつつ、連続して配置されるよりも発光させる面積が減り、コストが削減できる。また、発光部５は、テープ状の発光体でもよいし、点源の発光体を並べたものでもよい。
【００７１】
本実施の形態１の警棒１及び警備通信システムでは、筐体２はアルミニウム合金でできているとしたが、警棒１の強度を満たす材料であれば、スチール、ステンレス合金、鉄、ガラスファイバー強化型プラスチック等どのような材料でもよい。なお、アルミニウム合金の場合、プラスチック樹脂よりも強度が高く、暴漢と対峙した際に必要な強度を有するとともに、軽量化が図れる。
【００７２】
本実施の形態１の警棒１及び警備通信システムでは、ライト１４は、暗い場所を照らす場合に用いたが、ライト１４をフラッシュのようにすることで暴漢を幻惑させるときに用いてもよい。また、レーザーポインタ１６は、暴漢にレーザーを当て、追いかける目印にしたい場合に用いたが、レーザーを用いて道案内を行うときに用いてもよい。このように、それぞれの装置は誘導時に用いる場合または暴漢と対峙した場合それぞれに使用が限定されるものではない。
【００７３】
本実施の形態１の警棒１及び警備通信システムでは、催涙スプレーまたはブザー等他の装置を備えていてもよい。
【００７４】
本実施の形態１の警棒１及び警備通信システムでは、発光部５、カメラ１５、マイク８、スピーカ１１、ライト１４及びレーザーポインタ１６はオフの制御をした場合にオフとしたが、例えば５分、１０分等の予め定められた時間が経過すると自動的にオフにするようにしてもよい。
【００７５】
本実施の形態１の警棒１及び警備通信システムでは、プッシュスイッチ１３はレーザーポインタ１６のスイッチであり、カラーボール射出部１７のスイッチでもあるが、レーザーポインタ１６のスイッチはカラーボール射出部１７のスイッチと別でもよい。
【００７６】
本実施の形態１の警棒１及び警備通信システムでは、スイッチの押下の回数に応じて、オン、オフの機能を分けたが、回数と機能の組み合わせはどのような組み合わせでもよい。
【００７７】
本実施の形態１の警棒１及び警備通信システムでは、発光部５、ライト１４及びレーザーポインタ１６は発光が１色であったが、２色、３色等異なる色が複数あってもよい。色を切り替える場合、警棒１はプッシュスイッチの連続押下回数で切り替えるようにしてもよい。
【００７８】
本実施の形態１の警棒１及び警備通信システムでは、電源３３は把持部４の空洞内に収納されているとしたが、筐体２の先端部１８、筐体２の把持部４と先端部１８との間等どこに設けられていてもよい。また、電源３３は、装置一つ一つに対してそれぞれ備えられていてもよいし、複数の装置が並列で電源に接続されていてもよい。
【００７９】
本実施の形態１の警棒１及び警備通信システムでは、衝撃検知センサ２３及びスイッチ３４ａを備えたものが、衝撃スイッチ１２であるとし、衝撃スイッチ１２は、図１のように、筐体２の先端部１８またはその周辺の内部に設けられるとしたが、衝撃検知センサ２３は、アームモニター２０に設けられ、アームモニター２０内の衝撃検知センサ１２が検知した衝撃情報を警棒１に送信し、警棒１が受信した衝撃情報によってスイッチ３４ａのスイッチが入るようにしてもよい。警棒１を保持する手にアームモニター２０を固定した場合、上記と同様の効果が得られる。なお、衝撃検知センサ２３及びスイッチ３４ｂの場合も衝撃検知センサ２３及びスイッチ３４ａと同様に、アームモニター２０で衝撃検知をしてもよい。
【００８０】
ところで、上記した実施の形態に示した警棒及び警備通信システムは一例に過ぎず、適宜、組み合わせて構成することが出来るものであって、実施の形態単独の構成に限られるものではない。
【符号の説明】
【００８１】
１  警棒、  ２  筐体、  ３  開口部、  ４  把持部、
５  発光部、  ６  カメラスイッチ、  ７  ライトスイッチ、
８  マイク、  ９  トリガースイッチ、
１０  通信インターフェース、  １１  スピーカ、
１２  衝撃スイッチ、  １３  プッシュスイッチ、
１４  ライト、  １５  カメラ、  １６  レーザーポインタ、
１７  カラーボール射出部、  １８  先端部、
２０  アームモニター２０、  ２１  アームバンド、
２２  携帯端末装置、  ２３  衝撃検知センサ、
２４ａ,  ２４ｂ,  ２４ｃ,  ２４ｄ,  ２４ｅ,  ２４ｆ,  ２４ｇ  電源、
２５ａ,  ２５ｂ,  ２５ｃ,  ２５ｄ,  ２５ｅ,  ２５ｆ,  ２５ｇ  スイッチ、
２６  外部記憶装置、  ２７  プロセッサ、  ２８  主記憶装置、
２９  入力インターフェース、  ３０  外部通信インターフェース、
３１  出力インターフェース、  ３２  バス、  ３３  電源、
３４ａ,  ３４ｂ  スイッチ、  ３５  境界面。
【図１】
2017215109.tif 000003
【図２】
2017215109.tif 000004
【図３】
2017215109.tif 000005
【図４】
2017215109.tif 000006
【図５】
2017215109.tif 000007
【図６】
2017215109.tif 000008
【図７】
2017215109.tif 000009
【図８】
2017215109.tif 000010
【図９】
2017215109.tif 000011
【図１０】
2017215109.tif 000012
【図１１】
2017215109.tif 000013